(57)【要約】【課題】安全性の高いディスポーザを提供する。【解決手段】ディスポーザの投入口部１に二つのスイッチ部材２，３を設け、一方のスイッチ部材２はリードスイッチとし他方のスイッチ部材３はメカニカルスイッチとする。蓋体１０の鍔部１６の適所にリードスイッチ２をＯＮ動作させる磁性体１２が埋め込まれ、側周面１０ａの適所に設けた平坦部１８にメカニカルスイッチ３をＯＮ動作させる起動部１３を形成する。蓋体１０を投入口部１の着脱位置に装着した後、運転位置まで回動させると磁性体１２と起動部１３がそれぞれリードスイッチ２及びメカニカルスイッチ３に合致するため、二つのスイッチ部材２，３が同時にＯＮ状態となりディスポーザが運転を開始する。蓋体１０を取り外している状態ではメカニカルスイッチ３がＯＮ状態になることがないから、ディスポーザが誤作動するおそれが決して無く、高い安全性が得られる。【選択図】　　　図１
2004008942.tif 000002
【特許請求の範囲】
【請求項１】
ディスポーザの投入口に当該ディスポーザの運転を制御するためのスイッチ部材が設けられ、前記投入口に装着される蓋体に前記スイッチ部材をＯＮ動作させる起動部が設けられ、前記蓋体を前記投入口に装着して、前記スイッチ部材と前記起動部とを合致させたときにディスポーザが運転を開始するように構成された蓋スイッチ機構において、前記スイッチ部材は、電磁的に動作するものと、機械的に動作するものとの少なくとも二個以上を備え、全てのスイッチ部材がＯＮ状態のときのみ、ディスポーザを運転させるように設定されていることを特徴とするディスポーザの蓋スイッチ機構。
【発明の詳細な説明】
【０００１】
【発明の属する技術分野】
本発明は、キッチンシンク等に設けられ生ゴミなどを粉砕するディスポーザに関し、詳しくはスイッチ機構を改良して安全性を向上させることを目的とする。
【０００２】
【従来の技術】
キッチンシンクの排水口に連設され、生ゴミを細かく粉砕して排水と共に外部へ排出するようになされたディスポーザにあっては、ゴミ粉砕中に人が手を誤って入れることがないようにするため、従来、図１１に示すような蓋スイッチ機構がされている。
【０００３】
これは、ディスポーザの投入口部１に、磁界の変化で動作するスイッチ部材、例えばリードスイッチ２，２を配置する一方、投入口部１に装着される蓋体１０に、上記リードスイッチ２，２をＯＮ動作させる磁性体１２，１２を設けたものである。蓋体１０を、マークＰが投入口部１側のマークＱ１の位置と一致するように装着したあと、蓋体１０を回転させてマークＰを投入口部１側のもう一つのＱ２と一致させる。これにより、蓋体１０が投入口部１から容易に離脱しないようロックされると共に、蓋体１０の磁性体１２が近接することによりリードスイッチ２，２がＯＮ状態となり、ディスポーザの運転が開始する。蓋体１０が投入口部１から外れているときや、投入口部１に装着されていても蓋体１０のマークＰがマークＱ２と一致していないときは、リードスイッチ２，２がＯＦＦ状態であり、ディスポーザは停止状態に維持される。すなわち、ディスポーザ内に手を入れた状態、又は、手を入れることができる状態のときには、ディスポーザを起動させないように設定されている。
【０００４】
【発明が解決しようとする課題】
前記従来の蓋スイッチ機構は、上に述べたような仕組みにより、蓋体１０が投入口部１の所定箇所に装着されているとき以外は、原則としてディスポーザが運転しないように設計されている。しかしながら、ディスポーザの運転を制御するのにリードスイッチを用いているため、蓋体１０が装着されていない状態でも、磁石を近づけると誤作動を起こすおそれがあった。このため、ディスポーザにおいて、生ゴミを投入しやすいように、また、誤って破砕室内へ落としたものを取り出しやすいように、投入口部１の口径を大きくして、内部へ手を入れやすくなっている場合があるが、前記従来の蓋スイッチ機構は、このような大口径のディスポーザに対し、安全性を確保するのが難しいという問題を有している。
【０００５】
そこで蓋スイッチのほかに、ディスポーザへの通電をＯＮ・ＯＦＦ制御する壁スイッチを設けることも提案されている。しかるに、壁スイッチはＯＮ状態のまま放置されることがあるから、前記の問題点を必ずしも回避する手段とは成り得なかった。また壁スイッチは、台所で仕事中の使用者によって操作されることが多くあると考えられ、それによって壁が汚れるという問題が生じ得る。
【０００６】
【課題を解決するための手段】
前記従来の問題点を解決するため本発明が採用したディスポーザの蓋スイッチ機構の特徴とするところは、ディスポーザの投入口に当該ディスポーザの運転を制御するためのスイッチ部材を設け、前記投入口に装着される蓋体に前記スイッチ部材をＯＮ動作させる起動部を設け、前記蓋体を前記投入口に装着して、前記スイッチ部材と前記起動部とを合致させたときにディスポーザが運転を開始するように構成した蓋スイッチ機構において、前記スイッチ部材を、電磁的に動作するものと、機械的に動作するものとの少なくとも二個以上を備え、全てのスイッチ部材がＯＮ状態のときのみ、ディスポーザを運転させるように設定したことである。
【０００７】
かかる構成により、二個以上のスイッチ部材のうち少なくとも一つを機械的に動作するものとしたので、電磁的に動作するスイッチ部材に磁石を近づけた場合でも、従来のようにディスポーザが誤作動するおそれがないので、安全性が確保される。なお、スイッチ部材は、電磁的に動作するものと機械的に動作するものとを各一個ずつ用いれば充分であるが、両者を組み合わせて用いるのであるならば、所望により三個以上とすることも妨げない。
【０００８】
【発明の実施の形態】
［第１の実施形態］
図１〜図７に、本発明に係るディスポーザの蓋スイッチ機構の一例を示す。図１は、ディスポーザの投入口部１における着脱位置に蓋体１０を装着した状態を示すもの、図２は、ディスポーザの投入口部１における運転位置に蓋体１０を装着した状態を示すもの、図３及び図４はディスポーザＤを示すもの、図５乃至図７は蓋体１０を示すものである。
【０００９】
本例では、図３・４に示すように、ディスポーザＤの本体部５に連設される投入口部１の内周面１ａに、二つのスイッチ部材２，３を対向位置に突設すると共に、二つの凸部４，４をスイッチ２，３から９０°離れた位置に対向させて形成した。一方のスイッチ部材２には、リードスイッチ等の電磁的に動作するものを使用し、他方のスイッチ部材３には、機械的に動作するメカニカルスイッチを使用する。また、投入口部１における下部内周面１ｂは上部よりも口径が小さく設定され、スイッチ部材２，３及び凸部４，４の先端位置が、平面的に見て、この下部内周面１ｂとほぼ一致するように設定されている。
【００１０】
蓋体１０は、図５乃至図７に示す如く、全体がほぼ円盤状の形態を有し、中央部に通水部１４が形成され、側周面１０ａの上部に鍔部１６，側周面１０ａの下部にフランジ部１５がそれぞれ形成され、上部中央に摘み部１７を備えるものである。上記フランジ部１５には４つの切欠部１１が形成され、この切欠部１１の位置関係は、前述した投入口部１のスイッチ部材２，３及び凸部４，４の位置関係と合致するように設定されている。上記鍔部１６の適所には、前記リードスイッチ２をＯＮ動作させるための起動部として磁性体１２が埋め込まれる。側周面１０ａの外径は、前記投入口部１の下部内周面１ｂの内径とほぼ等しく設定される。また、側周面１０ａの適所に一部を切り欠いた平坦部１８を設け、この平坦部１８に、前記メカニカルスイッチ３をＯＮ動作させるための凸部構造から成る起動部１３を、上記磁性体１２と対向位置となるように形成する。本例では、蓋体１０の中心軸から上記起動部１３の先端までの長さ寸法を、側周面１０ａの半径よりも若干大きく設定してある。なお、蓋体１０の上端面に、マークＰを付しておくのが望ましい。
【００１１】
本発明に係る蓋スイッチ機構は、次のように使用される。まず図１に示すように、前記の如く構成した投入口部１に、前記蓋体１０を装着する。このとき、蓋体１０のマークＰを、投入口部１の上面に付した着脱位置マークＱ１に合わせることで、蓋体１０の切欠部１１を、投入口部１の内周面１ａに突設されたスイッチ部材２，３及び凸部４，４の位置に合致させて、蓋体１０の下端を、投入口部１の下部内周面１ｂまで到達させることができる。また図１の装着状態では、蓋体１０の磁性体１２及び起動部１３が、投入口部１のリードスイッチ２及びメカニカルスイッチ３から離れているから、これらスイッチ部材２，３はＯＦＦ状態である。
【００１２】
次いで蓋体１０を、図１に示す投入口部１に装着したままの状態で、時計回りに約４５°回動させ、図２に示すとおり蓋体１０のマークＰを、投入口部１の運転位置マークＱ２に合わせる。これにより、蓋体１０の磁性体１２と起動部１３の位置がそれぞれ、投入口部１のリードスイッチ２及びメカニカルスイッチ３に合致するため、リードスイッチ２は磁性体１２の接近によりＯＮ状態となり、またメカニカルスイッチ３は起動部１３に押圧されてＯＮ状態となる。すなわち、二つのスイッチ部材２，３が同時にＯＮ状態となる結果、ディスポーザが運転を開始する。このとき、蓋体１０のフランジ部１５が、投入口部１のスイッチ部材２，３及び凸部４，４の下側に回り込むため、蓋体１０は、投入口部１から容易に外れることがない。従って、ディスポーザの運転中に誤って人が手を入れることが確実に防止される。
【００１３】
また本発明の蓋スイッチ機構は、蓋体１０を取り外している状態では、例え磁石を近づけてリードスイッチ２がＯＮ状態になったとしても、メカニカルスイッチ３がＯＮ状態になることがない。従って、投入口部１内に手が入っている状態では、ディスポーザが誤作動するおそれが決して無いから、高い安全性が得られる。
【００１４】
［第２の実施形態］
図８は、本発明の蓋スイッチ機構における機械的に動作するスイッチ部材（メカニカルスイッチ）３と、これを動作させる蓋体１０の起動部の異なる形態を示すものである。本例では、投入口部１の内周面１ａに設けるメカニカルスイッチ３を、感圧部３ａが下方を向くように設置した。他方、蓋体１０には、フランジ部１５の上面に隆起構造の起動部１９を形成する。
【００１５】
かかる構成によれば、蓋体１０を投入口部１の着脱位置に装着したあと、所定方向の運転位置まで回転させて、起動部１９を図８（Ｂ）の位置から同図（Ｃ）の位置まで移動させることにより、起動部１９で感圧部３ａを押圧し、メカニカルスイッチ３をＯＮ状態にすることができる。
【００１６】
なお図面には、メカニカルスイッチ３の感圧部３ａが下方を向き、隆起構造の起動部１９が上方を向く態様を例示したが、これを上下反対の関係、すなわち、メカニカルスイッチ３の感圧部３ａが上方を向き、隆起構造の起動部１９を下向きとする構成も可能である。
【００１７】
［第３の実施形態］
図９に示す実施形態は、投入口部１の内周面１ａに設けられるメカニカルスイッチ３を、感圧部３ｂが引き出されることによりＯＮ状態となるように構成し、蓋体１０には、鍔部１６の下面に、上記感圧部３ｂを引き上げるフォーク状又は楔状の起動部２０を形成したものである。かかる構成は、蓋体１０を投入口部１の着脱位置に装着したあと、所定方向の運転位置まで回転させて、起動部２０を図９（Ａ）の位置から同図（Ｂ）の位置まで移動させると、起動部２０が感圧部３ｂを引き上げて、メカニカルスイッチ３をＯＮ状態にする。
【００１８】
本例にあっても、前記第二の実施形態で述べたのと同様、メカニカルスイッチ３と起動部２０とを上下反対の関係とすることができる。すなわち、メカニカルスイッチ３の感圧部３ｂを下向きに配置すると共に、フォーク状又は楔状の起動部２０をその下側に設け、上記感圧部３ｂを下方へ引き出すように構成してもよい。
【００１９】
［第４の実施形態］
図１０に示す実施形態は、投入口部１に設けられるメカニカルスイッチ３を、レバー３ｃの動作で感圧部３ｄを押し込むことによりＯＮ状態となるように構成し、蓋体１０には、鍔部１６の下面に、段部構造の起動部２１を形成したものである。かかる構成により、蓋体１０を投入口部１の着脱位置に装着し、所定方向の運転位置まで回転させて、起動部２１を図１０（Ａ）の位置から同図（Ｂ）の位置まで移動させることにより、起動部２１がレバー３ｃに衝突し、その結果、レバー３ｃと連動する感圧部３ｄが押し込まれるので、メカニカルスイッチ３がＯＮ状態となる。
【００２０】
本実施形態についても、前記メカニカルスイッチ３と、これを起動させる段部２１との位置関係を、上下反対とすることが可能である。
【００２１】
【発明の効果】
本発明に係る蓋スイッチ機構は、ディスポーザの運転を制御する二個以上のスイッチ部材のうち少なくとも一つを機械的に動作するものとしたので、蓋体を投入口部から取り外した状態では、磁石を近づけた場合でも、ディスポーザが決して誤作動を起こすおそれがない。すなわち、投入口部内へ手が入り得る状態のときには、ディスポーザは必ずＯＦＦ状態に保持される。従って、生ゴミを投入しやすく、且つ、異物を内部から取り出しやすいように投入口部の口径を大きくしたディスポーザにおいて、高い安全性を確保することができる。
【図面の簡単な説明】
【図１】本発明の第一の実施形態に関するものであって、図（Ａ）は蓋体を投入口部の着脱位置に装着した状態を示す平面図、図（Ｂ）は同状態を示す正面断面図である。
【図２】本発明の第一の実施形態に関するものであって、図（Ａ）は蓋体を投入口部の運転位置に装着した状態を示す平面図、図（Ｂ）は同状態を示す正面断面図である。
【図３】本発明の第一の実施形態に関するものであって、図（Ａ）はディスポーザの投入口部を示す平面図、図（Ｂ）は図（Ａ）のＸ−Ｘ線において断面した図面である。
【図４】本発明の第一の実施形態に関するものであって、図３（Ａ）のＹ−Ｙ線において断面したディスポーザの投入口部を示す図面である。
【図５】本発明の第一の実施形態に関するものであって、図（Ａ）は正面側から見た蓋体の斜視図、図（Ｂ）は側面側から見た蓋体の斜視図である。
【図６】本発明の第一の実施形態に関するものであって、図（Ａ）は蓋体の平面図、図（Ｂ）は蓋体の底面図である。
【図７】本発明の第一の実施形態に関するものであって、図（Ａ）は図６のａ−ａ線において断面した蓋体の図面、図（Ｂ）は図６のｂ−ｂ線において断面した蓋体の図面、図（Ｃ）は図６のｃ−ｃ線において断面した蓋体の図面である。
【図８】本発明の第二の実施形態に関するものであって、図（Ａ）は側面側から見た蓋体の斜視図、図（Ｂ）は着脱位置にある蓋体の要部とメカニカルスイッチとを示す側面図、図（Ｃ）は運転位置にある蓋体の要部とメカニカルスイッチとを示す側面図である。
【図９】本発明の第三の実施形態に関するものであって、図（Ａ）は着脱位置にある蓋体の要部とメカニカルスイッチとを示す側面図、図（Ｂ）は運転位置にある蓋体の要部とメカニカルスイッチとを示す側面図である。
【図１０】本発明の第四の実施形態に関するものであって、図（Ａ）は着脱位置にある蓋体の要部とメカニカルスイッチとを示す側面図、図（Ｂ）は運転位置にある蓋体の要部とメカニカルスイッチとを示す側面図である。
【図１１】従来のディスポーザの蓋スイッチ機構に関するものであって、図（Ａ）は蓋体を投入口部の運転位置に装着した状態を示す平面図、図（Ｂ）は同状態を示す正面断面図である。
【符号の説明】
１…投入口部　１ａ…内周面　１ｂ…下部内周面　２…リードスイッチ　３…メカニカルスイッチ　４…凸部　１０…蓋体　１０ａ…蓋体の側周面　１１…切欠部　１２…磁性体　１３…起動部　１４…通水孔　１５…フランジ部　１６…鍔部　１７…摘み部　１８…平坦部　１９，２０，２１…起動部
【図１】
2004008942.tif 000003
【図２】
2004008942.tif 000004
【図３】
2004008942.tif 000005
【図４】
2004008942.tif 000006
【図５】
2004008942.tif 000007
【図６】
2004008942.tif 000008
【図７】
2004008942.tif 000009
【図８】
2004008942.tif 000010
【図９】
2004008942.tif 000011
【図１０】
2004008942.tif 000012
【図１１】
2004008942.tif 000013